(57)【要約】【課題】  植物の栽培だけでなく、それに伴って耕作地で行われる収穫、耕作等の作業も効率的に行うことができる植物栽培装置を提供する。【解決手段】  耕作地に所定間隔の作業通路２を複数掘削し、所定幅の耕作地１を所定間隔で複数作成し、この耕作地１の両側面に沿って、上端に複数の取付孔１３を穿設した補強部１１構成すると共に、前記補強部１１の上端に取り付ける長尺の固定部材３を構成し、前記固定部材３の略中央部を貫通して固定用パイプ３５を所定間隔に設け、この固定用パイプ３５の耕作地側に隣接して車輪走行路３３と散水装置３２を設け、前記固定用パイプ３５を前記補強部１１の取付孔１３に嵌合した。【選択図】図１１
2011101612.tif 000002
【特許請求の範囲】
【請求項１】
耕作地に所定間隔で所定深さの作業通路を複数掘削して、所定幅の耕作地を所定間隔で複数作成し、この耕作地の両側面に沿って、上端に複数の取付孔を所定間隔に穿設した補強部を構成すると共に、
前記補強部の上端に取り付ける長尺の固定部材を構成し、
前記固定部材の略中央部に、固定部材を補強部に固定するための固定用パイプを前記取付孔と同一の間隔に設け、
この固定用パイプの耕作地側に隣接して車輪走行路と散水装置を設け、
前記固定用パイプを前記補強部の取付孔に嵌合した植物栽培装置。
【請求項２】
前記固定用パイプの作業通路側に隣接して、ビニールをかけるためのパイプを支持するための支持パイプを立設し、かつ固定部材の作業通路側の端部を下方に折り曲げてひも掛けを係止するための曲折部を構成したことを特徴とする請求項１記載の植物栽培装置。
【請求項３】
耕作地の幅と略同一の幅を有する長尺の保護シートと、この保護シートの両端に沿って所定間隔に設けた複数のスライド部材からなる保護シート張設装置を固定部材上に配置したことを特徴とする請求項１記載の植物栽培装置。
【請求項４】
下部に車輪を備え、上部に植物の収納部を備えた台車からなる収穫装置を、
固定部材上に移動可能に配置したことを特徴とする請求項１記載の植物栽培装置。
【請求項５】
下部に車輪を備え、内部に耕作手段を備えた台車からなる耕作装置を、
固定部材上に移動可能に配置したことを特徴とする請求項１記載の植物栽培装置。
【発明の詳細な説明】
【技術分野】
【０００１】
本発明は、耕作地を所定の高さにして、植物栽培作業を効率的に行える植物栽培装置に関するものである。
【背景技術】
【０００２】
従来より農作業の負担を軽減するために、耕作地に所定深さの作業通路を掘ることで、所定の高さを有する耕作地を作成し、この耕作地に植物を栽培し、作業者は作業通路の中から作業をしていた。
【先行技術文献】
【特許文献】
【０００３】
【特許文献１】特開平１１−２５３０１０号公報
【０００４】
特許文献１記載の発明は、ほぼ平坦な農地に、植物栽培者の臍近くの高さとほぼ同一の深さと植物栽培者が歩行可能な幅を持つほぼＵ字状の作業通路を、所定のピッチで複数条横に並べて掘る。そして、その隣合う作業通路の間に、植物栽培者の臍近くの高さとほぼ同じ高さの土壌からなる植物栽培用の畝を形成するものである。
そして、植物栽培者が畝側部の作業通路に侵入して、その作業通路の底部を歩行しながら、畝で栽培中の植物の芽摘み作業等の農作業を行えるようにする。
【０００５】
上記発明によれば、植物栽培者が腰を延ばした楽な姿勢で、植物栽培者の臍近くとほぼ同じ高さの畝で栽培中の植物の芽摘み作業等の農作業を行えるが、ビニールハウスの設置、肥料や水の散布あるいは栽培した植物の収穫等はすべて従来と同様であり、農作業が効率的に行われるとはいえない。
【発明の概要】
【発明が解決しようとする課題】
【０００６】
本発明は、植物の栽培だけでなく、それに伴って耕作地で行われる収穫、耕作等の作業も効率的に行うことができる植物栽培装置を提供することを目的としている。
【課題を解決するための手段】
【０００７】
本発明は、耕作地に所定間隔で所定深さの作業通路を複数掘削して、所定幅の耕作地を所定間隔で複数作成し、この耕作地の両側面に沿って、上端に複数の取付孔を所定間隔に穿設した補強部を構成すると共に、前記補強部の上端に取り付ける長尺の固定部材を構成し、前記固定部材の略中央部に、固定部材を補強部に固定するための固定用パイプを前記取付孔と同一の間隔に設け、この固定用パイプの耕作地側に隣接して車輪走行路と散水装置を設け、前記固定用パイプを前記補強部の取付孔に嵌合した植物栽培装置である。
【０００８】
本発明は、前記固定用パイプの作業通路側に隣接して、ビニールをかけるためのパイプを支持するための支持パイプを立設し、かつ固定部材の作業通路側の端部を下方に折り曲げてひも掛けを係止するための曲折部を構成した植物栽培装置である。
【０００９】
本発明は、耕作地の幅と略同一の幅を有する長尺の保護シートと、この保護シートの両端に沿って所定間隔に設けた複数のスライド部材からなる保護シート張設装置を固定部材上に配置した植物栽培装置である。
【００１０】
本発明は、下部に車輪を備え、上部に植物の収納部を備えた台車からなる収穫装置を、固定部材上に移動可能に配置した植物栽培装置である。
【００１１】
本発明は、下部に車輪を備え、内部に耕作手段を備えた台車からなる耕作装置を、固定部材上に移動可能に配置した植物栽培装置である。
【発明の効果】
【００１２】
請求項１の発明によれば、作業者が腰を延ばした楽な姿勢で、植物栽培作業を行えると共に、ビニールハウスの設置、肥料や水の散布あるいは栽培した植物の収穫等の、植物栽培に付随する作業も楽に行えるため、植物栽培作業が効率的に行えるのである。
【００１３】
請求項２の発明によれば、請求項１の効果に加えてビニールハウスの設置時に二重にビニールを張ることができると共に、ビニールをひもで固定して強固にすることができる。
【００１４】
請求項３の発明によれば、補強部の上に保護シート張設装置を配置して耕作地の表面に保護シートを張ることができるため、請求項１の効果に加えて、耕作地の植物等を鳥や害虫の被害から守ることができ、かつ耕作地の保温性を高めることで植物の良好な成長が図れる。
【００１５】
請求項４の発明によれば、補強部の上に収穫装置を配置して収穫作業が行えるため、請求項１の効果に加えて、作業者は収穫作業が容易かつ迅速に行え、作業時間の短縮及び作業能率の向上が図れる。
【００１６】
請求項５の発明によれば、補強部の上に耕作装置を配置して耕作地の耕作が行えるため、請求項１の効果に加えて、耕作作業に人手を煩わすことなく、容易、迅速にかつ正確な作業の下に効率よく耕作されるのである。
【図面の簡単な説明】
【００１７】
【図１】耕作地の一実施例を示す説明図
【図２】耕作地の一実施例を示す説明図
【図３】耕作地の一実施例を示す説明図
【図４】固定部材の拡大正面断面図
【図５】補強部に固定部材を取り付けた耕作地の正面断面図
【図６】固定部材の一部拡大平面図
【図７】フックの拡大斜視図
【図８】フックを取り付けた固定部材の一部拡大正面断面図
【図９】耕作地にビニールを被覆した状態の正面断面図
【図１０】耕作地にビニールを被覆した状態の正面断面図
【図１１】耕作地にビニールを被覆した状態の模式図
【図１２】耕作地に保護シート張設装置を設置した状態の正面断面図
【図１３】保護シート張設装置の一部拡大側面図
【図１４】耕作地に保護シート張設装置を設置した状態の模式図
【図１５】耕作地に収穫装置を設置した状態の正面断面図
【図１６】収穫装置の側面図
【図１７】耕作地に収穫装置を設置した状態の模式図
【図１８】耕作地に耕作装置を設置した状態の正面断面図
【図１９】耕作装置の側面図
【図２０】耕作地に耕作装置を設置した状態の模式図
【発明を実施するための形態】
【００１８】
平地の耕作地に所定間隔に所定深さの作業通路を平行して複数掘削することで、作業に適した幅と高さの耕作地を複数構成する。この耕作地の両側面の全面にわたり補強部を設け、かつこの補強部の上端中央部分に固定部材を取り付けるための取付孔を所定間隔に穿設する。
一方、前記補強部より幅の広い長尺の固定部材を構成する。この固定部材の幅方向の中央部に所定間隔に固定用パイプを貫通して設け、前記固定用パイプより耕作地側に車輪走行路と散水装置を設ける。
前記固定部材の固定用パイプの下部を前記補強部の取付孔に嵌合して、固定部材を補強部に固定した植物栽培装置である。
【実施例１】
【００１９】
本発明の実施例１は、図１ないし図１１に示すものであり、平地の耕作地に作業者が作業しやすい間隔と深さの作業通路２，２・・を所定距離、平行に複数掘削することで、作業がしやすい幅と高さの耕作地１，１・・を複数作成する。
【００２０】
この耕作地を作成する場合、図１は平地に作成した場合を示す。図２は傾斜地に作成した場合を示し、図３は更に傾斜が大きい傾斜地に作成した場合を示すもので、これらはいわゆる段々畑に対応しているものであり、傾斜地であっても耕作面と作業者の位置関係が同じ状態で作業できるようにしたものである。
図中、符号２１は作業者の乗る台であり、符号２２は物品等を置く台である。
【００２１】
前記耕作地１の両側面の全面にわたりコンクリート製の壁体からなる補強部１１，１１を設けて耕作地１を安定させ、さらに補強部１１の上端１２の中央部分に所定間隔に多数の取付孔１３，１３・・を穿設する。この取付孔１３は、後述の固定用パイプ３５を嵌合して支持するためのものである。
【００２２】
一方、前記補強部１１の上端の幅より広い幅を有する長尺の板材からなる固定部材３を構成し、この固定部材３を前記補強部１１の上端１２の全長にわたり固定する。
【００２３】
図４に示すように、前記固定部材３は略中央部に所定高さの段部３４を構成し、内側すなわち耕作地１側（図４中、右側）の縁部の全長にわたり角パイプからなる散水装置３２を構成する。この散水装置３２は、内部の空洞が水や肥料の流通路３２ａを構成し、この流通路３２ａの側面に噴射口３２ｂ，３２ｂ・・を構成して、この噴射口３２ｂ，３２ｂ・・から、水あるいは肥料等を散布するのである。
この散水装置３２と前記段部３４の間に車輪走行路３３を構成する。
【００２４】
前記段部３４には、中央部に多数の固定用パイプ３５を所定間隔に立設する。この固定用パイプ３５の下部を前記補強部１１の取付孔１３に嵌合して、固定部材３を補強部１１に固定する。この固定用パイプ３５は、後述のパイプＰ１が挿入可能な太さの筒状である。
【００２５】
前記段部３４の外側（図４中、左側）には、スペース３６を介して、ビニールＶ２を張るためのパイプＰ２を挿入支持するための支持パイプ３７を立設する。この支持パイプ３７は前記固定用パイプ３５と、位置をずらして等間隔に配置している（図６参照）。
【００２６】
前記固定部材３の両端を下方に曲折して、夫々曲折部３ａ、３ｂを構成する。このうち外側の曲折部３ｂは、フック４の係合部としての働きをする。
このフック４は、図７に示すように、全体として略長方形の金属板からなり、下端に指掛け部４１を構成し、一方の面に前記曲折部３ｂに係合するためのＬ字型の係止部４２を取り付けていて、上部を内側に切り抜いて、上端にひも掛け４３を構成している。
【００２７】
次に耕作地の上にビニールを張設する場合を説明する。
一方の固定部材３の固定用パイプ３５に、ビニールＶ１を支持するためのパイプＰ１の下端を挿入して、その他端を反対側の固定部材３の固定用パイプ３５に挿入して、パイプＰ１を耕作地１の上部にアーチ型に取り付ける。
このパイプＰ１を補強部１１の全長にわたって所定の間隔で取り付け、その後ビニールＶ１をパイプＰ１，Ｐ１・・の上にかけて、耕作地１の上面を覆い、図９に示すようにビニールハウスを構成する。なお、ビニールＶ１の端部は巻装してスペース３６に押し込んで固定する。
【００２８】
また、耕作地の外気温度によっては、図１０のようにビニールを二重にすることができる。すなわち、外側の支持パイプ３７にパイプＰ２を挿入し、前記と同様にパイプＰ２を掛け渡し、その上にビニールＶ２をかければ良い（図１１参照）。
この場合、内側のビニールＶ１を通風可能なネットにして、外側のビニールＶ２は保温のためにビニールとするなど、バリエーションを選択できる。
【００２９】
またビニールＶ１、Ｖ２が風等により移動したり、剥がれたりしないようにフック４とひも４４で固定することができる。
すなわち図８に示すように、フック４の係止部４２を曲折部３ｂに係合して、ひも掛け４３にひも４４を掛けて上方に引っ張り、ビニールＶ２あるいはＶ１の上から固定するのである。
【００３０】
本実施例によれば、作業者が立ったままの楽な姿勢で植物栽培作業を行えると共に、肥料や水の散布、ビニールハウスの設置等の作業も簡易迅速に行えるため、農作業が効率的に行える。
【実施例２】
【００３１】
本発明の実施例２は、図１２ないし図１４に示すものである。
本実施例は、固定部材３上に保護シート張設装置５を配置したものである。
この保護シート張設装置５は、耕作地１の幅と略同一の幅を有する長尺の保護シート５３と、この保護シート５３の両端に沿って所定間隔に設けた複数のスライド部材５４からなる。
【００３２】
前記保護シート５３は通常ビニールを使用するが、他の材質のシートでも良い。
前記スライド部材５４は、車輪５１と、この車輪５１の軸に下端を回動自在に軸止され、上端を保護シート５３の端部に固定した支持片５２からなる。スライド部材５４はこの構成に限定されず公知の構成を採用できる。
【００３３】
本実施例の作用を説明すると、保護シート５３の両側端部に複数の支持片５２，５２・・を取り付けて、車輪５１を固定部材３の車輪走行部３３に配置する。
【００３４】
保護シート５３は通常は、耕作地１の一方側に寄せて折り畳まれていて、必要に応じて引き出して耕作地１を覆うのである。
このとき図１４に示すように、保護シート５３の端部を保持して矢印の方向へ引いていけば、車輪５１が車輪走行路３３上を回転あるいはスライドしていき、保護シート５３は伸張していくのである。
【００３５】
この保護シート５３を張設することによって、種子をまく前は耕作地表面の温度を上昇させることができ、種子をまいた後は保温性を高めたり鳥害から守ることができるため植物の良好な成長が図れる。
【実施例３】
【００３６】
本発明の実施例３は、図１５ないし図１７に示すものである。本実施例は、固定部材３上に収穫装置６を配置したものである。
この収穫装置６は、下部に４個の車輪６２を備え、上部に植物の収納部６３を備えた台車６１からなる。
【００３７】
本実施例の作用を説明すると、収穫装置６の車輪６２を固定部材３の車輪走行部３３に配置し、その後、作業者が収穫装置６を手で押しながら耕作地１の上を移動していき植物６９を収穫して、上部の収納部６３に入れていく。また、台車６１上に作業者が乗ることもできる。
【００３８】
これによって、作業者は収穫作業を耕作地上で行えるため、場所をとらず、収穫物を抱えて運ぶ必要がなくなるため、作業が容易かつ迅速に行え作業時間の短縮、作業労働の軽減及び作業能率の向上が図れる。
【実施例４】
【００３９】
本発明の実施例４は、図１８ないし図２０に示すものである。
本実施例は、固定部材３上に耕作装置７を配置したものである。
この耕作装置７は、下部に４個の車輪７２を備え、内部に耕作手段である耕作刃７５を備えた台車７１からなる。台車７１の上には保護カバー７４とモーター７３が載置されている。
【００４０】
本実施例の作用を説明すると、車輪７２を車輪走行路３３上に配置し、モーター７３を作動させて耕作地１の上を走行させる。同時に耕作刃７５を回転させて耕作地１を耕作するのである。
【００４１】
これによって、耕作地１は人手を煩わすことなく、容易、迅速にかつ正確な作業の下に耕作されていくのである。
【符号の説明】
【００４２】
１    耕作地
２    作業通路
３    固定部材
３ｂ  曲折部
４    フック
６    収穫装置
７    耕作装置
１１  補強部
１２  補強部の上端
１３  取付孔
３２  散水装置
３４  段部
３５  固定用パイプ
３６  スペース
３７  支持パイプ
４３  ひも掛け
４４  ひも
５３  保護シート
６１  台車
６９  植物
７１  台車
Ｖ１  ビニール
Ｖ２  ビニール
Ｐ１  パイプ
Ｐ２  パイプ
【図１】
2011101612.tif 000003
【図２】
2011101612.tif 000004
【図３】
2011101612.tif 000005
【図４】
2011101612.tif 000006
【図５】
2011101612.tif 000007
【図６】
2011101612.tif 000008
【図７】
2011101612.tif 000009
【図８】
2011101612.tif 000010
【図９】
2011101612.tif 000011
【図１０】
2011101612.tif 000012
【図１１】
2011101612.tif 000013
【図１２】
2011101612.tif 000014
【図１３】
2011101612.tif 000015
【図１４】
2011101612.tif 000016
【図１５】
2011101612.tif 000017
【図１６】
2011101612.tif 000018
【図１７】
2011101612.tif 000019
【図１８】
2011101612.tif 000020
【図１９】
2011101612.tif 000021
【図２０】
2011101612.tif 000022